(57)【特許請求の範囲】
【請求項１】
浴槽内の水中に浸漬されるポンプ本体と、該ポンプ本体への通電を制御する通電制御部とからなる風呂水汲み上げ用ポンプであって、前記ポンプ本体を、吸水口および吐出口を有するケーシングと、該ケーシング内に配設された駆動源となるモータと、前記ケーシング内に配設されて前記モータにより回転駆動されるインペラとによって構成するとともに、前記吸水口には、粗ゴミを捕捉する第１のフィルターを配設する一方、前記ポンプ本体には、前記吸水口から吐出口に至る通路と連通され且つ汲み上げ用の接続ホースを接続できるように構成された風呂水浄水用の浄水機構を付設し且つ前記浄水機構の入口側には、前記第１のフィルターより目の細かい第２のフィルターを配設したことを特徴とする風呂水汲み上げ用ポンプ。
【請求項２】
浴槽内の水中に浸漬されるポンプ本体と、該ポンプ本体への通電を制御する通電制御部とからなる風呂水汲み上げ用ポンプであって、前記ポンプ本体を、吸水口および吐出口を有するケーシングと、該ケーシング内に配設された駆動源となるモータと、前記ケーシング内に配設されて前記モータにより回転駆動されるインペラとによって構成するとともに、前記ケーシングを、内部を水侵入空間とする二重壁構造とし且つ前記水侵入空間に連通する浸水口を前記ケーシングの上下に形成する一方、前記ポンプ本体には、前記吸水口から吐出口に至る通路と連通され且つ汲み上げ用の接続ホースを接続できるように構成された風呂水浄水用の浄水機構を付設したことを特徴とする風呂水汲み上げ用ポンプ。
【請求項３】
浴槽内の水中に浸漬されるポンプ本体と、該ポンプ本体への通電を制御する通電制御部とからなる風呂水汲み上げ用ポンプであって、前記ポンプ本体を、吸水口および吐出口を有するケーシングと、該ケーシング内に配設された駆動源となるモータと、前記ケーシング内に配設されて前記モータにより回転駆動されるインペラとによって構成するとともに、前記ポンプ本体には、前記ケーシングにおける吐出口に着脱自在に取り付けられ且つ汲み上げ用の接続ホースを接続できるように構成された風呂水浄水用の浄水機構を付設する一方、前記吐出口には、前記浄水機構を取り外した状態において汲み上げホースを接続できる構造を付設したことを特徴とする風呂水汲み上げ用ポンプ。
【発明の詳細な説明】
【０００１】
【発明の属する技術分野】
【０００２】
本願発明は、風呂水を汲み上げるために用いられる風呂水汲み上げ用ポンプに関するものである。
【従来の技術】
【０００３】
近年、水資源を確保する目的から水道水の節約が行われている。例えば、電気洗濯機での洗濯時に、前夜使用済みの風呂の水を使用することが行われている。
【０００４】
上記したように風呂の水を洗濯用として使用しようとする場合には、浴槽内の水を汲み上げて電気洗濯機にまで供給するために、汲み上げポンプが必要となる。この汲み上げポンプとしては、浴槽内に浸漬されるポンプ本体と、該ポンプ本体への通電を制御する通電制御部とからなり、前記ポンプ本体の吐出口に汲み上げホースを接続して該汲み上げホースにより電気洗濯機へ風呂水を供給するものが従来から採用されている。
【発明が解決しようとする課題】
【０００５】
ところが、前夜使用済みの風呂の水の場合、汚れているため、そのままでは洗濯物を洗う洗い工程までは使用可能であっても、濯ぎには使用できないという不具合があった。
【０００６】
本願発明は、上記の点に鑑みてなされたもので、風呂水汲み上げ用ポンプに浄水機能を付与することにより、洗濯時の濯ぎ工程においても風呂水が使用できるようにし、より一層の水道水の節約、水道代の節約を可能ならしめることを目的とするものである。
【課題を解決するための手段】
【０００７】
請求項１の発明では、上記課題を解決するための手段として、浴槽内の水中に浸漬されるポンプ本体と、該ポンプ本体への通電を制御する通電制御部とからなる風呂水汲み上げ用ポンプにおいて、前記ポンプ本体を、吸水口および吐出口を有するケーシングと、該ケーシング内に配設された駆動源となるモータと、前記ケーシング内に配設されて前記モータにより回転駆動されるインペラとによって構成するとともに、前記吸水口に、粗ゴミを捕捉する第１のフィルターを配設する一方、前記ポンプ本体に、前記吸水口から吐出口に至る通路と連通され且つ汲み上げ用の接続ホースを接続できるように構成された風呂水浄水用の浄水機構を付設し且つ前記浄水機構の入口側に、前記第１のフィルターより目の細かい第２のフィルターを配設している。
【０００８】
上記のように構成したことにより、浴槽内の水中にポンプ本体を浸漬させた状態で通電制御部によりモータを駆動開始させると、インペラの回転駆動により吸水口から吸い込まれた風呂水が浄水機構によって浄水されてから吐出されることとなる。従って、ポンプ本体に汲み上げ用の接続ホースを接続してやれば、浄水された風呂水が電気洗濯機へ供給できる。その結果、風呂水を洗い工程から濯ぎ工程にまで使用できることとなり、より一層の水道水の節約、水道代の節約が可能となる。また、風呂水に含まれる粗ゴミが第１のフィルターにより除去された状態で浄水機構に送り込まれることとなり、浄水機構の寿命を長持ちさせることができる。さらにまた、浄水機構に流入する風呂水に含まれる細かいゴミが第２のフィルターにより除去されることとなり、浄水機構が目詰まり状態に至る期間（換言すれば、寿命）が長くなる。
【０００９】
請求項２の発明では、上記課題を解決するための手段として、浴槽内の水中に浸漬されるポンプ本体と、該ポンプ本体への通電を制御する通電制御部とからなる風呂水汲み上げ用ポンプにおいて、前記ポンプ本体を、吸水口および吐出口を有するケーシングと、該ケーシング内に配設された駆動源となるモータと、前記ケーシング内に配設されて前記モータにより回転駆動されるインペラとによって構成するとともに、前記ケーシングを、内部を水侵入空間とする二重壁構造とし且つ前記水侵入空間に連通する浸水口を前記ケーシングの上下に形成する一方、前記ポンプ本体に、前記吸水口から吐出口に至る通路と連通され且つ汲み上げ用の接続ホースを接続できるように構成された風呂水浄水用の浄水機構を付設している。
【００１０】
上記のように構成したことにより、浴槽内の水中にポンプ本体を浸漬させた状態で通電制御部によりモータを駆動開始させると、インペラの回転駆動により吸水口から吸い込まれた風呂水が浄水機構によって浄水されてから吐出されることとなる。従って、ポンプ本体に汲み上げ用の接続ホースを接続してやれば、浄水された風呂水が電気洗濯機へ供給できる。その結果、風呂水を洗い工程から濯ぎ工程にまで使用できることとなり、より一層の水道水の節約、水道代の節約が可能となる。また、ケーシングの上下に形成された浸水口から水浸入空間に水が侵入することとなり、ポンプ本体を容易に水中に浸漬させることができる。
【００１１】
請求項３の発明では、上記課題を解決するための手段として、浴槽内の水中に浸漬されるポンプ本体と、該ポンプ本体への通電を制御する通電制御部とからなる風呂水汲み上げ用ポンプにおいて、前記ポンプ本体を、吸水口および吐出口を有するケーシングと、該ケーシング内に配設された駆動源となるモータと、前記ケーシング内に配設されて前記モータにより回転駆動されるインペラとによって構成するとともに、前記ポンプ本体に、前記ケーシングにおける吐出口に着脱自在に取り付けられ且つ汲み上げ用の接続ホースを接続できるように構成された風呂水浄水用の浄水機構を付設する一方、前記吐出口に、前記浄水機構を取り外した状態において汲み上げホースを接続できる構造を付設している。
【００１２】
上記のように構成したことにより、浴槽内の水中にポンプ本体を浸漬させた状態で通電制御部によりモータを駆動開始させると、インペラの回転駆動により吸水口から吸い込まれた風呂水が浄水機構によって浄水されてから吐出されることとなる。従って、ポンプ本体に汲み上げ用の接続ホースを接続してやれば、浄水された風呂水が電気洗濯機へ供給できる。その結果、風呂水を洗い工程から濯ぎ工程にまで使用できることとなり、より一層の水道水の節約、水道代の節約が可能となる。また、浄水機構を別構成で取り付けることができることとなり、取付構造が簡略化できるとともに点検・交換等も容易となる。さらにまた、浄水機構による浄水機能を付与した使用形態だけでなく、浄水機能を付与しない使用形態とを選択することができ、使用形態の多様化を図ることができる。
【発明の実施の形態】
【００１３】
以下、添付の図面を参照して、本願発明の幾つかの好適な実施の形態について詳述する。
【００１４】
第１の実施の形態
図１ないし図４には、本願発明の第１の実施の形態にかかる風呂水汲み上げ用ポンプが示されている。
【００１５】
この風呂水汲み上げ用ポンプは、図１に示すように、浴槽Ｂ内の使い古しの風呂水Ｗ中に浸漬されるポンプ本体１と、該ポンプ本体１への通電を制御する通電制御部２とからなっており、前記ポンプ本体１から吐出される風呂水Ｗを汲み上げ用の接続ホース３を介して電気洗濯機Ｃに給水することとなっている。図１において、符号４は電源コンセントである。
【００１６】
前記ポンプ本体１は、図２に示すように、下端に位置する吸水口８および側面において軸心方向（換言すれば、上下方向）中央より前記吸水口８側に寄った位置に位置する吐出口９を有するケーシング５と、該ケーシング５内に配設された駆動源となるモータ６と、前記ケーシング５内に配設されて前記モータ６により回転駆動されるインペラ７とによって構成されている。
【００１７】
前記ケーシング５は、円筒形状の合成樹脂製のケーシング本体１０と、該ケーシング本体１０の軸心方向（換言すれば、上下方向）の両端部に対して嵌め殺し構造で固着された合成樹脂製の下部および上部カバー体１１，１２とからなっており、前記ケーシング本体１０は、軸心部側に位置する有底円筒形状のモータ室１３と、該モータ室１３の外側に位置する水侵入空間１４とからなる二重壁構造とされている。また、前記下部カバー体１１には、前記した吸水口８が複数個形成される一方、前記上部カバー体１２には、前記水浸入空間１４に風呂水Ｗの侵入を許容する上部側の浸水口１５が複数個形成されている。
【００１８】
前記モータ室１３内には、駆動源であるモータ６が配設されており、該モータ６の回転軸６ａは、前記モータ室１３の底部１３ａを貫通して該モータ室１３の下方に位置するインペラ室１６に突出され、その先端部には、前記インペラ室１６内において前記インペラ７が共回り可能に枢着されている。そして、前記モータ室１３の上部には、該モータ室１３内への水の侵入を防止するための円筒形状の合成樹脂製の蓋部材１７が嵌着されており、前記モータ６へ電源を供給する給電コード１８は、前記蓋部材１７および上部カバー体１２を貫通して外部へ導出されている。符号１９は給電コード１８の貫通部をシールするシール部材、２０は給電コード１８の端部に設けられた接続コンセントである。
【００１９】
前記インペラ室１６は、前記モータ室１３の底部１３ａと前記ケーシング本体１０における軸心方向において前記吸水口８側の端部（換言すれば、下端部）に嵌挿された有頂円筒形状の整流部材２１との間に形成されており、インペラ７の回転駆動により、該整流部材２１の中心部（換言すれば、インペラ７と対向する部位）に形成された入口２２から吸い込まれた風呂水Ｗは、インペラ室１６の出口２３から吐出口９に吐出されることとなっている。なお、インペラ室出口２３は、吐出口９の略下半分部分に臨まされている。このようにすると、インペラ７により水平方向にかき出される水が円滑に吐出口９に吐出されることとなる。符号２４は前記整流部材２１の内面に放射状に形成された４枚の整流羽根、２５はモータ回転軸６ａの貫通部をシールするシール部材である。
【００２０】
また、前記水浸入空間１４の一部（即ち、反吐出口側部分）は、インペラ室１６の側方にまで延設されており、その下端部には、下部側の浸水口２６が形成されている。このようにすると、水浸入空間１４を可及的に大きくできることとなり、ポンプ本体１の水中への浸漬がより容易となるし、下部側の浸水口２６を形成したことにより、上部カバー体１２に形成された浸水口１５，１５・・からの水侵入が容易となる。
【００２１】
さらに、前記下部カバー体１１の内面には、前記吸水口８，８・・を囲む環状壁２７が一体に突設されており、該環状壁２７内には、風呂水Ｗに含まれる粗ゴミを捕捉する第１のフィルター２８が配設されている。このようにすると、風呂水Ｗに含まれる粗ゴミが第１のフィルター２８により除去された状態で浄水機構３５に送り込まれることとなり、浄水機構３５の寿命を長持ちさせることができる。
【００２２】
前記通電制御部２は、図３に示すように、本体２９と、前記電源コンセント４に接続される電源コンセント３１と、水位センサー６１とからなっており、前記本体２９には、前記ポンプ本体１側の接続コンセント２０が接続される接続コンセント３０と、前記モータ６への通電を制御するスイッチ３２および通電状態を表示する通電表示灯３３とが設けられている。
【００２３】
しかして、前記吐出口９は、前記ケーシング５を構成するケーシング本体１０の側面における軸心方向中央より前記吸水口８側に寄った位置に一体に突出された外ネジ３４を有する筒状体からなっており、この吐出口９には、風呂水浄水用の浄水機構３５が螺着脱自在に取り付けられている。このようにすると、吸水口８からインペラ７へ至る通路に邪魔物が存在しないこととなり、風呂水Ｗの流量を確保することができることとなって、吐出流量の低下や吐出不良の発生を防止することができる。また、浄水機構３５を別構成で取り付けることができることとなり、取付構造が簡略化できるとともに点検・交換等も容易となる。さらに、取付状態においてポンプ本体１の軸心と浄水機構３５の軸心とが直角に交差せしめられることとなるので、全体が略Ｔ字状を呈することとなり、水中での安定性が向上する。しかも、ケーシング５の側面における軸心方向中央より前記吸水口８側に寄った位置に形成された吐出口９に浄水機構３５を取り付けるようにしているので、浄水機構３５の取付により全体の重心が吸水口８側寄りとなるところから、吸水口８を下向きとした水中姿勢が得られることとなり、浴槽の水を全部汲み出すことが可能となる。
【００２４】
また、この吐出口９内には、前記第１のフィルター２８より目の細かい第２のフィルター３６が配設されている。このようにすると、浄水機構３５に流入する風呂水Ｗに含まれる細かいゴミが第２のフィルター３６により除去されることとなり、浄水機構３５が目詰まり状態に至る期間（換言すれば、寿命）が長くなる。なお、この第２のフィルターについては、必ずしも必要としない。
【００２５】
前記浄水機構３５は、円筒形状の筒状ケース３７と、該筒状ケース３７内に収納された複数（例えば、３個）の浄水ユニット３８，３８，３８とによって構成されている。前記筒状ケース３７の一端側は、やや大径に拡径された開放端部３７ａとされており、該開放端部３７ａの内面には、前記吐出口９の外ネジ３４と螺合する内ネジ３９が形成されている。つまり、浄水機構３５は、筒状ケース３７の開放端部３７ａを吐出口９に螺着脱することにより、ポンプ本体１に対して着脱自在とされているのである。また、前記筒状ケース３７の他端側は、前記浄水ユニット３８の端面と略同形状の壁面で閉塞されており、その中心部には、汲み上げ用の接続ホース３を接続するための接続口４０が一体に突設されている。
【００２６】
このようにすると、浄水ユニット３８を定期的に洗浄することができることとなり、浄水能力を長持ちさせることも可能となる。また、筒状ケース３７の他端側を、前記浄水ユニット３８の端面と略同形状の壁面で閉塞するようにしているので、使用後において筒状ケース３７の内底部に水が滞留する空間が形成されることがなくなる。従って、水が滞留した場合に生ずるであろう不具合（即ち、滞留した水の腐敗、菌の増殖）を防止することができる。
【００２７】
前記各浄水ユニット３８は、水の流れ方向に関して対称形状とされ且つ水の侵入側および排出側に多数の通水孔を有する部材（例えば、メッシュ部材４３，４４）が配置された収納ケース４１と、該収納ケース４１内に収納された活性炭等の浄水要素４２とによって構成されている。このようにすると、浄水ユニット３８，３８，３８を筒状ケース３７へ収納する際に方向性を考慮する必要がなくなり、収納が容易となるとともに、各浄水ユニット３８内での浄水要素４２の凝集による目詰まりの発生を可及的に抑制できる。また、浄水ユニット３８の交換だけで浄水機構３５の機能回復が可能となるとともに、一つ一つの浄水ユニット３８を小型化することが可能となり、各浄水ユニット３８における浄水効果の向上を図りつつ浄水機能を長持ちさせることができる。また、浄水ユニット３８の小型化により一つ一つの浄水ユニット３８における通水抵抗の増大を抑制できる。なお、前記浄水ユニット３８，３８，３８に収納する浄水要素４２として、同じものを用いてもよいが、種類あるいは形状を異ならしめる（例えば、活性炭と活性炭以外のものとか、粒径の相異するものとか）ことも可能であり、その場合には、筒状ケース３７に収納する順番を定期的に変更すると、浄水機構３５の寿命を延ばすことが可能となる。
【００２８】
前記収納ケース４１は、図４に示すように、一端側において端部から少し奥寄りに位置して一体に形成された内鍔部４７を有し且つ他端側に係合段部４８が形成されている円筒形状の収納ケース本体４５と、該収納ケース本体４５の係合段部４８に対して無理嵌めされる係合筒部４９を一端側に有し且つ他端側から少し奥寄りに位置して一体に形成された内鍔部５０を有する環状体４６とからなっており、係合筒部４９を係合段部４８に無理嵌め係合させることによって収納ケース本体４５に対して環状体４６を結合した状態においては、水の流れ方向に関して対称形状とされることとなっている。
【００２９】
前記収納ケース本体４５の一端側には係止爪５１が一体に形成されており、内鍔部４５と係止爪５１との間にメッシュ部材４３および固定リング５２が挟着されることとなっている。一方、前記環状体４６の他端側にも係止爪５３が一体に形成されており、内鍔部５０と係止爪５３との間にメッシュ部材４４および固定リング５４が挟着されることとなっている。符号５５，５６はメッシュ部材４３，４４および固定リング５２，５４と係止爪５１，５３との係合時におけるメッシュ部材４３，４４の変形を許容するために内鍔部４５，５０にそれぞれ形成された穴である。このように構成された浄水ユニット３８，３８，３８を筒状ケース３７に収納した状態においては、浄水ユニット３８，３８，３８相互間に隙間Ｓ，Ｓが形成されることとなる。該隙間Ｓの形成により、メッシュ部材４３，４４が接することによって生ずる圧力損失をなくすことができる。なお、浄水ユニット３８は、寿命がきた時には、分解されることなく、ユニットとして新しいものに交換される。
【００３０】
上記のように構成された風呂水汲み上げ用ポンプにおいては、次のような作用効果が得られる。
【００３１】
まず、ポンプ本体１の給電コード１８の接続コンセント２０を通電制御部２の接続コンセント３０に接続し、通電制御部２の電源コンセント３１を壁面の電源コンセント４に接続するとともに、ポンプ本体１における浄水機構３５の接続口４０に接続ホース３の一端を接続し且つ該接続ホース３の他端を電気洗濯機Ｃの洗濯槽に臨ませる。
【００３２】
ついで、ポンプ本体１を浴槽Ｂの水中に浸漬させると、浸水口１５，２６から水浸入空間１４に風呂水Ｗが侵入することとなり、ポンプ本体１は、吸水口８側を下向きとした姿勢で浴槽Ｂの底部へ沈んで行く（図１参照）。
【００３３】
この状態のもとに、通電制御部２のスイッチ３２をＯＮ操作して、モータ６への通電を開始すると、モータ６の駆動に伴って、インペラ７が回転駆動される。すると、吸水口８から吸い込まれた風呂水Ｗは、吐出口９から吐出され、浄水機構３５によって浄水されて接続ホース３を介して電気洗濯機Ｃの洗濯槽に供給されることとなる。つまり、電気洗濯機Ｃに供給される水は、浄水機構３５によって浄水されたきれいなものとなる。従って、風呂水Ｗを洗い工程から濯ぎ工程にまで使用できることとなり、より一層の水道水の節約、水道代の節約が可能となるのである。
【００３４】
第２の実施の形態
図５には、本願発明の第２の実施の形態にかかる風呂水汲み上げ用ポンプにおけるポンプ本体が示されている。
【００３５】
この場合、ポンプ本体１における吐出口９には、接続ホース３（図１参照）が接続可能な第２の接続口５７が形成されている。該接続口５７の外周には外ネジ５８が形成されている。一方、浄水機構３５を構成する筒状ケース３７の開放端部３７ａには、前記接続口５７が螺合されるネジ部５９が設けられている。即ち、浄水機構３５を取り付ける際には、そのネジ部５９に対して吐出口９に形成された接続口５７を螺合させればよく、この時には、接続ホース３は浄水機構３５の接続口４０に接続される。一方、浄水機構３５を取り外して、吐出口９に形成された接続口５７に接続ホース３を接続させれば、浄水機構なしでの使用が可能となる。なお、この場合、吐出口９内部が開放されない構造となるため、当該部位へのフィルターの配設は省略される。このようにすると、浄水機構３５による浄水機能を付与した使用形態だけでなく、浄水機能を付与しない使用形態とを選択することができ、使用形態の多様化を図ることができる。その他の構成および作用効果は、第１の実施の形態におけると同様なので説明を省略する。
【００３６】
第３の実施の形態
図６には、本願発明の第３の実施の形態にかかる風呂水汲み上げ用ポンプにおけるポンプ本体が示されている。
【００３７】
この場合、浄水機構３５が使用されない時には、吐出口９には、接続ホース３（図１参照）が接続される第２の接続口５７を有する接続ユニット６０が螺着脱自在に取り付けられることとなっている。つまり、吐出口９には、浄水機構３５あるいは接続ユニット６０が択一的に取り付けられることとなっているのである。このようにすると、浄水機構３５による浄水機能を付与した使用形態だけでなく、浄水機能を付与しない使用形態とを選択することができ、使用形態の多様化を図ることができる。その他の構成および作用効果は、第１の実施の形態におけると同様なので説明を省略する。
【発明の効果】
【００３８】
請求項１の発明によれば、浴槽内の水中に浸漬されるポンプ本体と、該ポンプ本体への通電を制御する通電制御部とからなる風呂水汲み上げ用ポンプにおいて、前記ポンプ本体を、吸水口および吐出口を有するケーシングと、該ケーシング内に配設された駆動源となるモータと、前記ケーシング内に配設されて前記モータにより回転駆動されるインペラとによって構成するとともに、前記ポンプ本体に、前記吸水口から吐出口に至る通路と連通され且つ汲み上げ用の接続ホースを接続できるように構成された風呂水浄水用の浄水機構を付設して、浴槽内の水中にポンプ本体を浸漬させた状態で通電制御部によりモータを駆動開始させると、インペラの回転駆動により吸水口から吸い込まれた風呂水が浄水機構によって浄水されてから吐出されるようにしたので、風呂水を洗い工程から濯ぎ工程にまで使用できることとなり、より一層の水道水の節約、水道代の節約が可能となるという効果がある。また、前記吸水口に、粗ゴミを捕捉する第１のフィルターを配設しているので、風呂水に含まれる粗ゴミが第１のフィルターにより除去された状態で浄水機構に送り込まれることとなり、浄水機構の寿命を長持ちさせることができるという効果もある。さらにまた、前記浄水機構の入口側に、前記第１のフィルターより目の細かい第２のフィルターを配設しているので、浄水機構に流入する風呂水に含まれる細かいゴミが第２のフィルターにより除去されることとなり、浄水機構が目詰まり状態に至る期間（換言すれば、寿命）が長くなるという効果もある。
【００３９】
請求項２の発明によれば、浴槽内の水中に浸漬されるポンプ本体と、該ポンプ本体への通電を制御する通電制御部とからなる風呂水汲み上げ用ポンプにおいて、前記ポンプ本体を、吸水口および吐出口を有するケーシングと、該ケーシング内に配設された駆動源となるモータと、前記ケーシング内に配設されて前記モータにより回転駆動されるインペラとによって構成するとともに、前記ポンプ本体に、前記吸水口から吐出口に至る通路と連通され且つ汲み上げ用の接続ホースを接続できるように構成された風呂水浄水用の浄水機構を付設して、浴槽内の水中にポンプ本体を浸漬させた状態で通電制御部によりモータを駆動開始させると、インペラの回転駆動により吸水口から吸い込まれた風呂水が浄水機構によって浄水されてから吐出されるようにしたので、風呂水を洗い工程から濯ぎ工程にまで使用できることとなり、より一層の水道水の節約、水道代の節約が可能となるという効果がある。また、前記ケーシングを、内部を水侵入空間とする二重壁構造とし且つ前記水侵入空間に連通する浸水口を前記ケーシングの上下に形成しているので、ケーシングの上下に形成された浸水口から水浸入空間に水が侵入することとなり、ポンプ本体を容易に水中に浸漬させることができるという効果もある。
【００４０】
請求項３の発明によれば、浴槽内の水中に浸漬されるポンプ本体と、該ポンプ本体への通電を制御する通電制御部とからなる風呂水汲み上げ用ポンプにおいて、前記ポンプ本体を、吸水口および吐出口を有するケーシングと、該ケーシング内に配設された駆動源となるモータと、前記ケーシング内に配設されて前記モータにより回転駆動されるインペラとによって構成するとともに、前記ポンプ本体に、前記ケーシングにおける吐出口に着脱自在に取り付けられ且つ汲み上げ用の接続ホースを接続できるように構成された風呂水浄水用の浄水機構を付設して、浴槽内の水中にポンプ本体を浸漬させた状態で通電制御部によりモータを駆動開始させると、インペラの回転駆動により吸水口から吸い込まれた風呂水が浄水機構によって浄水されてから吐出されるようにしたので、風呂水を洗い工程から濯ぎ工程にまで使用できることとなり、より一層の水道水の節約、水道代の節約が可能となるという効果がある。しかも、浄水機構を別構成で取り付けることができるので、取付構造が簡略化できるとともに点検・交換等も容易となるという効果もある。また、吐出口に、前記浄水機構を取り外した状態において汲み上げホースを接続できる構造を付設しているので、浄水機構による浄水機能を付与した使用形態だけでなく、浄水機能を付与しない使用形態とを選択することができ、使用形態の多様化を図ることができるという効果もある。
【図面の簡単な説明】
【図１】  本願発明の第１の実施の形態にかかる風呂水汲み上げ用ポンプの使用形態を示す断面図である。
【図２】  本願発明の第１の実施の形態にかかる風呂水汲み上げ用ポンプにおけるポンプ本体の縦断面図である。
【図３】  本願発明の第１の実施の形態にかかる風呂水汲み上げ用ポンプにおける通電制御部の正面図である。
【図４】  本願発明の第１の実施の形態にかかる風呂水汲み上げ用ポンプにおける浄水ユニットの分解断面図である。
【図５】  本願発明の第２の実施の形態にかかる風呂水汲み上げ用ポンプにおけるポンプ本体の縦断面図である。
【図６】  本願発明の第３の実施の形態にかかる風呂水汲み上げ用ポンプにおけるポンプ本体の縦断面図である。
【符号の説明】
１はポンプ本体、２は通電制御部、３は接続ホース、５はケーシング、６はモータ、７はインペラ、８は吸水口、９は吐出口、１４は水浸入空間、１５，２６は浸水口、２８は第１のフィルター、３５は浄水機構、３６は第２のフィルター、３７は筒状ケース、３８は浄水ユニット、４０は接続口、４１は収納ケース、４２は浄水要素、４３，４４はメッシュ部材、５７は接続口、Ｂは浴槽、Ｓは隙間、Ｗは風呂水。
【図１】
0003762874.tif 000002
【図２】
0003762874.tif 000003
【図３】
0003762874.tif 000004
【図４】
0003762874.tif 000005
【図５】
0003762874.tif 000006
【図６】
0003762874.tif 000007